【手続補正書】
【提出日】平成18年4月4日(2006.4.4)
【手続補正１】
【補正対象書類名】明細書
【補正対象項目名】特許請求の範囲
【補正方法】変更
【補正の内容】
【特許請求の範囲】
【請求項１】  静電写真に用いられる感光体ドラム、
前記感光体ドラム上に一様な電荷を与える帯電ローラ、
印字データに基づいて前記感光体ドラム上をレーザ光でラスタスキャニングするレーザスキャナユニット、
前記感光体ドラム上の静電潜像をトナー現像する現像器、
前記感光体ドラム上のトナー像を用紙に転写する転写ローラ、
用紙上のトナー像を熱と圧力で定着させる定着ユニット、
用紙端部及びその外側に印字するモードを有する印字制御手段、
を備え、
用紙端部及びその外側に印字するモードで連続プリントする場合、規定枚数印字後に、前記転写ローラのクリーニングシーケンスを入れることを特徴とするレーザプリンタ。
【請求項２】  静電写真に用いられる感光体ドラム、
前記感光体ドラム上に一様な電荷を与える帯電ローラ、
印字データに基づいて前記感光体ドラム上をレーザ光でラスタスキャニングするレーザスキャナユニット、
前記感光体ドラム上の静電潜像をトナー現像する現像器、
前記感光体ドラム上のトナー像を用紙に転写する転写ローラ、
用紙上のトナー像を熱と圧力で定着させる定着ユニット、
用紙端部及びその外側に印字するモードを有する印字制御手段、
を備え、
用紙端部及びその外側に印字するモードで連続プリントする場合、用紙端部及びその外側に印字しないモードで連続プリントする場合に比べて紙間を広げ、紙間でクリーニングシーケンスを入れることを特徴とするレーザプリンタ。
【請求項３】  静電写真に用いられる感光体ドラム、
前記感光体ドラム上に一様な電荷を与える帯電ローラ、
印字データに基づいて前記感光体ドラム上をレーザ光でラスタスキャニングするレーザスキャナユニット、
前記感光体ドラム上の静電潜像をトナー現像する現像器、
前記感光体ドラム上のトナー像を用紙に転写する転写ローラ、
用紙上のトナー像を熱と圧力で定着させる定着ユニット、
用紙端部及びその外側に印字するモードを有する印字制御手段、
を備え、
用紙端部及びその外側に印字するモードで連続プリントした後、クリーニングシーケンスを入れることを特徴とするレーザプリンタ。
【請求項４】  静電写真に用いられる感光体ドラム、
前記感光体ドラム上に一様な電荷を与える帯電ローラ、
印字データに基づいて前記感光体ドラム上をレーザ光でラスタスキャニングするレーザスキャナユニット、
前記感光体ドラム上の静電潜像をトナー現像する現像器、
前記感光体ドラム上のトナー像を用紙に転写する転写ローラ、
用紙上のトナー像を熱と圧力で定着させる定着ユニット、
用紙端部及びその外側に印字するモードを有する印字制御手段、
を備え、
用紙端部及びその外側に印字するモードでの連続プリントの途中で連続印刷枚数が規定数を超えたときに連続印刷を中断してクリーニングシーケンスを入れることを特徴とするレーザプリンタ。
【請求項５】  静電写真に用いられる感光体ドラム、
前記感光体ドラム上に一様な電荷を与える帯電ローラ、
印字データに基づいて前記感光体ドラム上をレーザ光でラスタスキャニングするレーザスキャナユニット、
前記感光体ドラム上の静電潜像をトナー現像する現像器、
前記感光体ドラム上のトナー像を用紙に転写する転写ローラ、
用紙上のトナー像を熱と圧力で定着させる定着ユニット、
用紙端部及びその外側に印字するモードを有する印字制御手段、
を備え、
用紙端部及びその外側に印字するモードでのプリント終了後に、定着器クリーニングシーケンスを行うことを特徴とするレーザプリンタ。
【手続補正２】
【補正対象書類名】明細書
【補正対象項目名】０００６
【補正方法】変更
【補正の内容】
【０００６】
本発明は上記事情を考慮してなされたものであり、その目的とする処は、実際に用紙端部及びその外側に印字するモードでプリントを行う際の機内の汚れを防ぐことができるレーザプリンタを提供することにある。
【手続補正３】
【補正対象書類名】明細書
【補正対象項目名】０００７
【補正方法】変更
【補正の内容】
【０００７】
【課題を解決するための手段】
上記目的を達成するため、本願第１の発明は、
静電写真に用いられる感光体ドラム、
前記感光体ドラム上に一様な電荷を与える帯電ローラ、
印字データに基づいて前記感光体ドラム上をレーザ光でラスタスキャニングするレーザスキャナユニット、
前記感光体ドラム上の静電潜像をトナー現像する現像器、
前記感光体ドラム上のトナー像を用紙に転写する転写ローラ、
用紙上のトナー像を熱と圧力で定着させる定着ユニット、
用紙端部及びその外側に印字するモードを有する印字制御手段、
を備え、
用紙端部及びその外側に印字するモードで連続プリントする場合、規定枚数印字後に、前記転写ローラのクリーニングシーケンスを入れることを特徴とする。
上記目的を達成するため、本願第２の発明は、
静電写真に用いられる感光体ドラム、
前記感光体ドラム上に一様な電荷を与える帯電ローラ、
印字データに基づいて前記感光体ドラム上をレーザ光でラスタスキャニングするレーザスキャナユニット、
前記感光体ドラム上の静電潜像をトナー現像する現像器、
前記感光体ドラム上のトナー像を用紙に転写する転写ローラ、
用紙上のトナー像を熱と圧力で定着させる定着ユニット、
用紙端部及びその外側に印字するモードを有する印字制御手段、
を備え、
用紙端部及びその外側に印字するモードで連続プリントする場合、用紙端部及びその外側に印字しないモードで連続プリントする場合に比べて紙間を広げ、紙間でクリーニングシーケンスを入れることを特徴とする。
上記目的を達成するため、本願第３の発明は、
静電写真に用いられる感光体ドラム、
前記感光体ドラム上に一様な電荷を与える帯電ローラ、
印字データに基づいて前記感光体ドラム上をレーザ光でラスタスキャニングするレーザスキャナユニット、
前記感光体ドラム上の静電潜像をトナー現像する現像器、
前記感光体ドラム上のトナー像を用紙に転写する転写ローラ、
用紙上のトナー像を熱と圧力で定着させる定着ユニット、
用紙端部及びその外側に印字するモードを有する印字制御手段、
を備え、
用紙端部及びその外側に印字するモードで連続プリントした後、クリーニングシーケンスを入れることを特徴とする。
上記目的を達成するため、本願第４の発明は、
静電写真に用いられる感光体ドラム、
前記感光体ドラム上に一様な電荷を与える帯電ローラ、
印字データに基づいて前記感光体ドラム上をレーザ光でラスタスキャニングするレーザスキャナユニット、
前記感光体ドラム上の静電潜像をトナー現像する現像器、
前記感光体ドラム上のトナー像を用紙に転写する転写ローラ、
用紙上のトナー像を熱と圧力で定着させる定着ユニット、
用紙端部及びその外側に印字するモードを有する印字制御手段、
を備え、
用紙端部及びその外側に印字するモードでの連続プリントの途中で連続印刷枚数が規定数を超えたときに連続印刷を中断してクリーニングシーケンスを入れることを特徴とする。
上記目的を達成するため、本願第５の発明は、
静電写真に用いられる感光体ドラム、
前記感光体ドラム上に一様な電荷を与える帯電ローラ、
印字データに基づいて前記感光体ドラム上をレーザ光でラスタスキャニングするレーザスキャナユニット、
前記感光体ドラム上の静電潜像をトナー現像する現像器、
前記感光体ドラム上のトナー像を用紙に転写する転写ローラ、
用紙上のトナー像を熱と圧力で定着させる定着ユニット、
用紙端部及びその外側に印字するモードを有する印字制御手段、
を備え、
用紙端部及びその外側に印字するモードでのプリント終了後に、定着器クリーニングシーケンスを行うことを特徴とする。
【手続補正４】
【補正対象書類名】明細書
【補正対象項目名】００３０
【補正方法】変更
【補正の内容】
【００３０】
【発明の効果】
以上の説明で明らかなように、本発明によれば、用紙端部及びその外側に印字するモードでプリントを行った際に問題となる機内汚れを防ぐことができるという効果が得られる。